(57)【要約】【課題】ｉＳＣＳＩ接続を集中管理する。【解決手段】まず、データ管理システム８が、負荷分散装置１の負荷分散装置ＮＷ情報及びｉＳＣＳＩターゲット装置６１のｉＳＣＳＩターゲット装置ＮＷ情報を受信し、保管する。次に、ｉＳＮＳサーバ７が、前記ｉＳＣＳＩターゲット装置６１のプロファイルを受信し、前記データ管理システム８に登録する。次に、ｉＳＮＳサーバ７が、前記ｉＳＣＳＩイニシエータ５１のプロファイルを受信し、前記データ管理システム８に登録する。次に、ｉＳＮＳサーバ７が、ディスカバリドメインを作成し、前記データ管理システム８に登録する。次に、データ管理システム８が、前記ディスカバリドメインが登録されたことを契機に、コネクションテーブルレコードを生成する。そして、データ管理システム８が、前記生成されたコネクションテーブルレコードに基づいて、負荷分散装置１内に有るコネクションテーブルＴ１１を更新する。【選択図】図１
2009048530.tif 000002
【特許請求の範囲】
【請求項１】
インターネットストレージネームサービスサーバ，データ管理システム，コネクションテーブルを有しネットワーク中継装置を接続した負荷分散装置を備え、
ｉＳＣＳＩイニシエータからＩＰネットワークを介して送信されたパケットを、該コネクションテーブルに基づいた転送先であるｉＳＣＳＩターゲット装置へ転送するように接続制御を行うｉＳＣＳＩ接続管理システムであって、
前記インターネットストレージネームサービスサーバが、
前記ｉＳＣＳＩターゲット装置の仮想ＩＰアドレス，ｉＳＣＳＩアクセスのためのＴＣＰポート番号，ｉＳＣＳＩ名を含む該ｉＳＣＳＩターゲット装置のプロファイルを受信し、該ｉＳＣＳＩターゲット装置のプロファイルを前記データ管理システムに登録し管理する手段と、
前記ｉＳＣＳＩイニシエータのネットワークインターフェースに割り当てられたＩＰアドレスとｉＳＣＳＩ名を含む該ｉＳＣＳＩイニシエータのプロファイルを受信し、該ｉＳＣＳＩイニシエータのプロファイルを前記データ管理システムに登録し管理する手段と、
前記ｉＳＣＳＩイニシエータのｉＳＣＳＩ名とｉＳＣＳＩターゲット装置のｉＳＣＳＩ名を含むディスカバリドメインを作成し、前記データ管理システムに登録する手段と、
を備え、
前記データ管理システムが、
前記負荷分散装置のＩＰアドレスと仮想ＩＰアドレスを有する負荷分散装置ＮＷ情報を受信し、該負荷分散装置ＮＷ情報を格納し保管する手段と、
前記ｉＳＣＳＩターゲット装置のｉＳＣＳＩのｉＳＣＳＩ名とｉＳＣＳＩターゲット装置に備えられたネットワークインターフェースのＭＡＣアドレスを有するｉＳＣＳＩターゲット装置ＮＷ情報を受信し、該ｉＳＣＳＩターゲット装置ＮＷ情報を格納し保管する手段と、
ディスカバリドメインが登録されたことを契機に、前記ｉＳＣＳＩイニシエータのＩＰアドレスと前記ｉＳＣＳＩターゲット装置のＭＡＣアドレスを含むコネクションテーブルレコードを生成する手段と、
前記生成されたコネクションテーブルレコードに基づいて、前記負荷分散装置のＩＰアドレスで示される負荷分散装置内に有るコネクションテーブルを更新する手段と、
前記ｉＳＣＳＩイニシエータのプロファイル，前記ｉＳＣＳＩターゲット装置のプロファイル，前記ディスカバリドメインのいずれかが削除されたことを契機に、該削除されたプロファイルもしくディスカバリドメインに応じた負荷分散装置内に有るコネクションテーブルレコードを削除する手段と、
を備える、
ことを特徴とするｉＳＣＳＩ接続管理システム。
【請求項２】
インターネットストレージネームサービスサーバ，データ管理システム，コネクションテーブルを有しネットワーク中継装置を接続した負荷分散装置を備え、
ｉＳＣＳＩイニシエータからＩＰネットワークを介して送信されたパケットを、該コネクションテーブルに基づいた転送先であるｉＳＣＳＩターゲット装置へ転送するように接続制御を行うシステムに使用するｉＳＣＳＩ接続管理方法であって、
前記データ管理システムが、前記負荷分散装置のＩＰアドレスと仮想ＩＰアドレスを有する負荷分散装置ＮＷ情報を受信し、該負荷分散装置ＮＷ情報を格納し保管するステップと、
前記データ管理システムが、前記ｉＳＣＳＩターゲット装置のｉＳＣＳＩのｉＳＣＳＩ名とｉＳＣＳＩターゲット装置に備えられたネットワークインターフェースのＭＡＣアドレスを有するｉＳＣＳＩターゲット装置ＮＷ情報を受信し、該ｉＳＣＳＩターゲット装置ＮＷ情報を格納し保管するステップと、
前記インターネットストレージネームサービスサーバが、前記ｉＳＣＳＩターゲット装置の仮想ＩＰアドレス，ｉＳＣＳＩアクセスのためのＴＣＰポート番号，ｉＳＣＳＩ名を含む該ｉＳＣＳＩターゲット装置のプロファイルを受信し、該ｉＳＣＳＩターゲット装置のプロファイルを前記データ管理システムに登録し管理するステップと、
前記インターネットストレージネームサービスサーバが、前記ｉＳＣＳＩイニシエータのネットワークインターフェースに割り当てられたＩＰアドレスとｉＳＣＳＩ名を含む該ｉＳＣＳＩイニシエータのプロファイルを受信し、該ｉＳＣＳＩイニシエータのプロファイルを前記データ管理システムに登録し管理するステップと、
前記インターネットストレージネームサービスサーバが、前記ｉＳＣＳＩイニシエータのｉＳＣＳＩ名とｉＳＣＳＩターゲット装置のｉＳＣＳＩ名を含むディスカバリドメインを作成し、前記データ管理システムに登録するステップと、
前記データ管理システムが、前記ディスカバリドメインが登録されたことを契機に、前記ｉＳＣＳＩイニシエータのＩＰアドレスと前記ｉＳＣＳＩターゲット装置のＭＡＣアドレスを含むコネクションテーブルレコードを生成するステップと、
前記データ管理システムが、前記生成されたコネクションテーブルレコードに基づいて、前記負荷分散装置のＩＰアドレスで示される負荷分散装置内に有るコネクションテーブルを更新するステップと、
前記ｉＳＣＳＩイニシエータのプロファイル，前記ｉＳＣＳＩターゲット装置のプロファイル，前記ディスカバリドメインのいずれかが削除されたことを契機に、該削除されたプロファイルもしくディスカバリドメインに応じた負荷分散装置内に有るコネクションテーブルレコードを削除するステップと、
を有することを特徴とするｉＳＣＳＩ接続管理方法。
【発明の詳細な説明】
【技術分野】
【０００１】
本発明は、ｉＳＣＳＩ（Ｉｎｔｅｒｎｅｔ  ＳＣＳＩ）技術におけるデバイス接続制御技術に関するものである。
【背景技術】
【０００２】
ｉＳＣＳＩ（Ｉｎｔｅｒｎｅｔ  ＳＣＳＩ）技術（即ち、ＩＰ（Ｉｎｔｅｒｎｅｔ  Ｐｒｏｔｏｃｏｌ）ストレージ技術の一つ）単体、もしくは複数のハードディスクドライブの集合体、あるいは専用の制御部で複数のハードディスクドライブを制御するディスクアレイ装置等から構成されるストレージ装置が実用化されている。
【０００３】
ストレージ装置とホスト装置（例えば、サーバ，ＰＣ（Ｐｅｒｓｏｎａｌ  Ｃｏｍｐｕｔｅｒ））間を接続するインターフェース技術としてはファイバチャネル（ＦＣ）、インフィニバンド（ＩｎｆｉｎｉＢａｎｄ）、ＳＣＳＩ（Ｓｍａｌｌ  Ｃｏｍｐｕｔｅｒ  Ｓｙｓｔｅｍｓ  Ｉｎｔｅｒｆａｃｅ）などが知られている。
【０００４】
ＳＣＳＩインターフェースは近距離間を経済的に接続する用途として優れ、既に広く普及している。当該ＳＣＳＩインターフェースでは、クライアントに相当する機能をイニシエータ、サーバに相当する機能をターゲットと呼び、そのイニシエータとターゲット間で、ＳＣＳＩコマンド（ＣＤＢ：Ｃｏｍｍａｎｄ  Ｄｅｓｃｒｉｐｔｏｒ  Ｂｌｏｃｋ）を交換する。そのｉＳＣＳＩ（ｉｎｔｅｒｎｅｔ  ＳＣＳＩ）技術は、２００４年にネットワークプロトコルであるＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）の上位プロトコルとしてＩＥＴＦ（Ｔｈｅ  Ｉｎｔｅｒｎｅｔ  Ｅｎｇｉｎｅｅｒｉｎｇ  Ｔａｓｋ  Ｆｏｒｃｅ）で標準化された（例えば、非特許文献１参照）。
【０００５】
現在、ｉＳＣＳＩ技術はギガビット以上の回線品質、特にデータセンタ内、データセンタ間や大規模ＬＡＮ（Ｌｏｃａｌ  Ａｒｅａ  Ｎｅｔｗｏｒｋ）システム等の基幹回線で利用されている。しかし、当該ｉＳＣＳＩ技術をコンシューマ向けアクセス回線（例えば、ブロードバンド回線）上サービスとして、端末−サーバ間、端末−端末間で適用している例は見られない。一方、国内ではＦＴＴＨ（Ｆｉｂｅｒ  Ｔｏ  Ｔｈｅ  Ｈｏｍｅ）回線の普及と高速化が進行中であり、既に１００ＢＡＳＥ−ＴＸをユーザーインターフェースとするサービスが実用化済みであるが、近い将来には、都市部でのギガビット化も想定されている。
【０００６】
ここで、ｉＳＣＳＩのようなストレージネットワークに関するネットワーク接続管理技術を以下に説明する。
【０００７】
サーバ負荷分散技術（ＳＬＢ：Ｓｅｒｖｅｒ  Ｌｏａｄ  Ｂａｌａｎｃｉｎｇ）は、ネットワーク上の装置を用いてサイトに対するトラフィックを複数のサーバに振り分ける処理技術であって、ＩＰネットワーク上のサイトはエンドユーザから、あたかも１台のサーバで運用されているように見えるものである。
【０００８】
ＳＬＢはＩＰアドレス構成の違いにより、フラットベース（ＭＡＴ（Ｍｅｄｉａ  Ａｃｃｅｓｓ  Ｃｏｎｔｒｏｌ（ＭＡＣ）  Ａｄｄｒｅｓｓ  Ｔｒａｎｓｌａｔｉｏｎ）に基づく）アーキテクチャとＮＡＴ（Ｎｅｔｗｏｒｋ  Ａｄｄｒｅｓｓ  Ｔｒａｎｓｌａｔｉｏｎ）ベースアーキテクチャの２種類（例えば、非特許文献２参照）が知られている。特に前者のフラットベースアーキテクチャは、サーバからエンドユーザへのトラフィックがＳＬＢを経由しないことからスループットを重視する用途で多用されている。
【０００９】
ＳＬＢを実現する装置（以下、ＳＬＢ装置という）は、クライアントサーバ間のセッション管理のために、内部にコネクションテーブルを作成し管理する。コネクションテーブルはクライアントのＩＰアドレスとサーバのＭＡＣアドレスのマッピング情報であり、コネクションテーブルの作成がＳＬＢの能力の核心に位置づけられる。
【００１０】
多くのＳＬＢ装置において、コネクションテーブルの更新アルゴリズムとしてラウンドロビン方式，接続コネクション数に基づく方式，サーバ応答速度やサーバＣＰＵ使用率に基づく方式などが用いられている。しかし、最近では、Ｗｅｂサイトにおけるショッピングなどの用途（即ち、商品選択から決済までの手続き）に対応するため、同一ＩＰアドレスからのセッションを特定サーバに固定的に振り分けする機能などを装備するＳＬＢ装置が登場している。
【００１１】
ｉＳＮＳ（Ｉｎｔｅｒｎｅｔ  Ｓｔｏｒａｇｅ  Ｎａｍｅ  Ｓｅｒｖｉｃｅ：インターネットストレージネームサービス）技術は、ＴＣＰ／ＩＰネットワーク上で、上記ｉＳＣＳＩデバイス、ｉＦＣＰ（Ｉｎｔｅｒｎｅｔ  Ｆｉｂｒｅ  ｃｈａｎｎｅｌ  Ｐｒｏｔｏｃｏｌ）デバイスの検出、構成管理等の機能を提供するインターネット標準のストレージ専用のネームサービス（名前解決）規格であって、２００５年９月にＲＦＣ（Ｒｅｑｕｅｓｔ  ｆｏｒ  Ｃｏｍｍｅｎｔｓ）４１７１（例えば、非特許文献３参照）として制定された。
【００１２】
ｉＳＮＳサーバは管理デバイスに実装されたｉＳＮＳクライアント機能を通じて各デバイスのプロファイル（例えば、ＩＰアドレスやＲＦＣ３７２１（例えば、非特許文献４参照）で定義されたｉＳＣＳＩ名）を管理する。また、他にも、ｉＳＮＳサーバは、ｉＳＮＳサーバとｉＳＮＳクライアント間の相互死活管理，デバイス間のアクセス関係を定義するディスカバリドメインの管理，同一ドメイン内でのプロファイル共有等を実現する。特に、ドメイン内のプロファイル共有によってドメイン所属デバイスのＩＰアドレスリストを取得できることから、これをアクセスコントロールリスト（ＡＣＬ：Ａｃｃｅｓｓ  Ｃｏｎｔｒｏｌ  Ｌｉｓｔ）に適用して各デバイスからのアクセスに対して動的Ｌ３（Ｌａｙｅｒ  ３）制御を行うことができる。
【００１３】
ここで、既に技術の確立されたフラットベース（ＭＡＴベース）の負荷分散方式を図３のネットワーク構成に基づいて説明する。
【００１４】
図３中のクライアント（ｃｌｉｅｎｔ）３１，３２、ネットワーク中継装置であるＬ２（Ｌａｙｅｒ  ２）制御装置（Ｌ２  ｓｗｉｔｃｈ）２を接続したＭＡＴベースの負荷分散を行う負荷分散装置（Ｌｏａｄ  Ｂａｌａｎｃｅｒ）１、サーバ（ｓｅｒｖｅｒ）４１，４２は、ネットワーク１００に接続されている。
【００１５】
前記負荷分散装置１は、コネクションテーブルＴ１１を有しており、Ｌ２制御装置２を使って、該コネクションテーブルＴ１１に基づいた転送先に、パケットを転送する。なお、図３中のコネクションテーブルＴ１１に格納されるコネクションテーブルレコードは、負荷分散装置１内で、自動作成されるものである。
【００１６】
例えば、クライアント３１（例えば、ＩＰアドレス：１９２．１６８．１．１０）からネットワーク１００を介して送信された仮想ＩＰ（ＶＩＰ：Ｖｅｒｔｕａｌ  ＩＰ）アドレス宛のパケットは、負荷分散装置１に接続されたＬ２制御装置２によって、コネクションテーブルＴ１１に基づいて、サーバ４１に転送される（Ｍ１０１）。
【００１７】
より具体的には、ＩＰアドレスに「１９２．１６８．１．１０」を設定されたクライアント３１から送信された仮想ＩＰアドレス宛のパケット（宛先アドレスは「１９２．１６８．０．２００」、送信元アドレスは「１９２．１６８．１．１０」に設定されたパケット）は、ＶＩＰアドレスに「１９２．１６８．０．２００」を設定された負荷分散装置１に接続されたＬ２制御装置２によって、送信元アドレスが「１９２．１６８．１．１０」の場合は、宛先アドレスが「００：００：００：００：００：ＢＢ」へ転送するように記述されたコネクションテーブルＴ１１に基づいて、ＭＡＣアドレスに「００：００：００：００：００：ＢＢ」を設定されたサーバ４１に転送される（Ｍ１０１）。
【００１８】
そして、サーバ４１からの返信パケットが、サーバ４１からクライアント３１へ送信される（Ｍ１０２）。
【００１９】
なお、クライアント３２についても、上記と同様に、メッセージＭ１０１’，Ｍ１０２’が伝送される。
【非特許文献１】Ｊ．Ｓａｔｒａｎ，Ｋ．Ｍｅｔｈ，Ｃ．Ｓａｐｕｎｔｚａｋｉｓ，Ｍ．Ｃｈａｄａｌａｐａｋａ，Ｅ．Ｚｅｉｎｄｅｒ、Ｒｅｑｕｅｓｔ  ｆｏｒ  Ｃｏｍｍｅｎｔｓ：３７２０  “Ｉｎｔｅｒｎｅｔ  Ｓｍａｌｌ  Ｃｏｍｐｕｔｅｒ  Ｓｙｓｔｅｍｓ  Ｉｎｔｅｒｆａｃｅ（ｉＳＣＳＩ）”、［ｏｎｌｉｎｅ］、Ａｐｒ  ２００４（平成１６年４月）、Ｔｈｅ  Ｉｎｔｅｒｎｅｔ  Ｓｏｃｉｅｔｙ、［平成１９年７月２４日  検索］、インターネット＜ＵＲＬ：ｈｔｔｐ：／／ｗｗｗ．ｉｅｔｆ．ｏｒｇ／ｒｆｃ／ｒｆｃ３７２０．ｔｘｔ＞．
【非特許文献２】Ｔｏｎｙ  Ｂｏｕｒｋｅ  著，鍋島公章  監訳、「サーバ負荷分散技術」、オライリージャパン、２００１年（平成１３年）１２月、ｐ２７−３４。
【非特許文献３】Ｊ．Ｔｓｅｎｇ，Ｋ．Ｇｉｂｂｏｎｓ，Ｆ．Ｔｒａｖｏｓｉｎｏ，Ｃ．Ｄｕ  Ｌａｎｅｙ，Ｊ．Ｓｏｕｚａ、Ｒｅｑｕｅｓｔ  ｆｏｒ  Ｃｏｍｍｅｎｔｓ：４１７１  “Ｉｎｔｅｒｎｅｔ  Ｓｔｏｒａｇｅ  Ｎａｍｅ  Ｓｅｒｖｉｃｅｓ（ｉＳＮＳ）”、［ｏｎｌｉｎｅ］、Ｓｅｐ  ２００５（平成１７年９月）、Ｔｈｅ  Ｉｎｔｅｒｎｅｔ  Ｓｏｃｉｅｔｙ、［平成１９年７月２４日  検索］、インターネット＜ＵＲＬ：ｈｔｔｐ：／／ｗｗｗ．ｉｅｔｆ．ｏｒｇ／ｒｆｃ／ｒｆｃ４１７１．ｔｘｔ＞。
【非特許文献４】Ｍ．Ｂａｋｋｅ，Ｊ．Ｈａｆｎｅｒ，Ｊ．Ｈｕｆｆｅｒｄ，Ｋ．Ｖｏｒｕｇａｎｔｉ，Ｍ．Ｋｒｕｅｇｅｒ，Ｒｅｑｕｅｓｔ  ｆｏｒ  Ｃｏｍｍｅｎｔｓ：３７２１  “Ｉｎｔｅｒｎｅｔ  Ｓｍａｌｌ  Ｃｏｍｐｕｔｅｒ  Ｓｙｓｔｅｍ  Ｉｎｔｅｒｆａｃｅ（ｉＳＣＳＩ）Ｎａｍｉｎｇ  ａｎｄ  Ｄｉｓｃｏｖｅｒｙ”、［ｏｎｌｉｎｅ］、Ａｐｒ  ２００４（平成１６年４月）、Ｔｈｅ  Ｉｎｔｅｒｎｅｔ  Ｓｏｃｉｅｔｙ、［平成１９年７月２４日  検索］、インターネット＜ＵＲＬ：ｈｔｔｐ：／／ｗｗｗ．ｉｅｔｆ．ｏｒｇ／ｒｆｃ／ｒｆｃ３７２１．ｔｘｔ＞。
【発明の開示】
【発明が解決しようとする課題】
【００２０】
上述のｉＳＮＳサーバを利用し、ｉＳＣＳＩイニシエータ機能を有するファイルサーバとストレージ（ｉＳＣＳＩターゲット）装置の接続を実現するシステムでは、ｉＳＮＳサーバから一旦得たストレージアクセス情報（ＩＰアドレス及びポート番号）が２回目以降、ｉＳＮＳサーバを介さずに再利用可能となるセキュリティ上の問題が知られている。
【００２１】
ｉＳＮＳサーバには、アクセスコントロールリスト（ＡＣＬ）を共通ドメイン内で共有することによって、動的にＩＰフィルタリングを実現する仕組みはあるが、ｉＳＮＳサポート機器のすべてがＡＣＬによる制御まで実装しているわけではない。
【００２２】
また、ｉＳＣＳＩターゲット装置各々でセキュリティ制御を分担する運用形態は極めて煩雑であり、不正アクセスによる無効負荷が発生する問題が存在する。
【００２３】
本発明は、前記課題に基づいてなされたものであって、ｉＳＣＳＩターゲット装置を不特定多数に提供するようなサービス形態などにおいて、ｉＳＣＳＩ接続を集中管理するｉＳＣＳＩ接続管理システム，ｉＳＣＳＩ接続管理方法を提供することにある。
【課題を解決するための手段】
【００２４】
前記課題の解決を図るために、請求項１記載の発明は、インターネットストレージネームサービスサーバ，データ管理システム，コネクションテーブルを有しネットワーク中継装置を接続した負荷分散装置を備え、ｉＳＣＳＩイニシエータからＩＰネットワークを介して送信されたパケットを、該コネクションテーブルに基づいた転送先であるｉＳＣＳＩターゲット装置へ転送するように接続制御を行うｉＳＣＳＩ接続管理システムであって、前記インターネットストレージネームサービスサーバが、前記ｉＳＣＳＩターゲット装置の仮想ＩＰアドレス，ｉＳＣＳＩアクセスのためのＴＣＰポート番号，ｉＳＣＳＩ名を含む該ｉＳＣＳＩターゲット装置のプロファイルを受信し、該ｉＳＣＳＩターゲット装置のプロファイルを前記データ管理システムに登録し管理する手段と、前記ｉＳＣＳＩイニシエータのネットワークインターフェースに割り当てられたＩＰアドレスとｉＳＣＳＩ名を含む該ｉＳＣＳＩイニシエータのプロファイルを受信し、該ｉＳＣＳＩイニシエータのプロファイルを前記データ管理システムに登録し管理する手段と、前記ｉＳＣＳＩイニシエータのｉＳＣＳＩ名とｉＳＣＳＩターゲット装置のｉＳＣＳＩ名を含むディスカバリドメインを作成し、前記データ管理システムに登録する手段と、を備え、前記データ管理システムが、前記負荷分散装置のＩＰアドレスと仮想ＩＰアドレスを有する負荷分散装置ＮＷ情報を受信し、該負荷分散装置ＮＷ情報を格納し保管する手段と、前記ｉＳＣＳＩターゲット装置のｉＳＣＳＩのｉＳＣＳＩ名とｉＳＣＳＩターゲット装置に備えられたネットワークインターフェースのＭＡＣアドレスを有するｉＳＣＳＩターゲット装置ＮＷ情報を受信し、該ｉＳＣＳＩターゲット装置ＮＷ情報を格納し保管する手段と、ディスカバリドメインが登録されたことを契機に、前記ｉＳＣＳＩイニシエータのＩＰアドレスと前記ｉＳＣＳＩターゲット装置のＭＡＣアドレスを含むコネクションテーブルレコードを生成する手段と、前記生成されたコネクションテーブルレコードに基づいて、前記負荷分散装置のＩＰアドレスで示される負荷分散装置内に有るコネクションテーブルを更新する手段と、前記ｉＳＣＳＩイニシエータのプロファイル，前記ｉＳＣＳＩターゲット装置のプロファイル，前記ディスカバリドメインのいずれかが削除されたことを契機に、該削除されたプロファイルもしくディスカバリドメインに応じた負荷分散装置内に有るコネクションテーブルレコードを削除する手段と、を備える、ことを特徴とする。
【００２５】
請求項２記載の発明は、インターネットストレージネームサービスサーバ，データ管理システム，コネクションテーブルを有しネットワーク中継装置を接続した負荷分散装置を備え、ｉＳＣＳＩイニシエータからＩＰネットワークを介して送信されたパケットを、該コネクションテーブルに基づいた転送先であるｉＳＣＳＩターゲット装置へ転送するように接続制御を行うシステムに使用するｉＳＣＳＩ接続管理方法であって、前記データ管理システムが、前記負荷分散装置のＩＰアドレスと仮想ＩＰアドレスを有する負荷分散装置ＮＷ情報を受信し、該負荷分散装置ＮＷ情報を格納し保管するステップと、前記データ管理システムが、前記ｉＳＣＳＩターゲット装置のｉＳＣＳＩのｉＳＣＳＩ名とｉＳＣＳＩターゲット装置に備えられたネットワークインターフェースのＭＡＣアドレスを有するｉＳＣＳＩターゲット装置ＮＷ情報を受信し、該ｉＳＣＳＩターゲット装置ＮＷ情報を格納し保管するステップと、前記インターネットストレージネームサービスサーバが、前記ｉＳＣＳＩターゲット装置の仮想ＩＰアドレス，ｉＳＣＳＩアクセスのためのＴＣＰポート番号，ｉＳＣＳＩ名を含む該ｉＳＣＳＩターゲット装置のプロファイルを受信し、該ｉＳＣＳＩターゲット装置のプロファイルを前記データ管理システムに登録し管理するステップと、前記インターネットストレージネームサービスサーバが、前記ｉＳＣＳＩイニシエータのネットワークインターフェースに割り当てられたＩＰアドレスとｉＳＣＳＩ名を含む該ｉＳＣＳＩイニシエータのプロファイルを受信し、該ｉＳＣＳＩイニシエータのプロファイルを前記データ管理システムに登録し管理するステップと、前記インターネットストレージネームサービスサーバが、前記ｉＳＣＳＩイニシエータのｉＳＣＳＩ名とｉＳＣＳＩターゲット装置のｉＳＣＳＩ名を含むディスカバリドメインを作成し、前記データ管理システムに登録するステップと、前記データ管理システムが、前記ディスカバリドメインが登録されたことを契機に、前記ｉＳＣＳＩイニシエータのＩＰアドレスと前記ｉＳＣＳＩターゲット装置のＭＡＣアドレスを含むコネクションテーブルレコードを生成するステップと、前記データ管理システムが、前記生成されたコネクションテーブルレコードに基づいて、前記負荷分散装置のＩＰアドレスで示される負荷分散装置内に有るコネクションテーブルを更新するステップと、前記ｉＳＣＳＩイニシエータのプロファイル，前記ｉＳＣＳＩターゲット装置のプロファイル，前記ディスカバリドメインのいずれかが削除されたことを契機に、該削除されたプロファイルもしくディスカバリドメインに応じた負荷分散装置内に有るコネクションテーブルレコードを削除するステップと、を有することを特徴とする。
【００２６】
前記請求項１，２に記載の発明は、ｉＳＣＳＩ接続制御を集中管理できる。
【発明の効果】
【００２７】
以上示したように請求項１，２の発明によれば、ｉＳＣＳＩイニシエータとｉＳＣＳＩターゲット装置を含むシステムにおけるｉＳＣＳＩ接続制御に関する操作の煩雑さを解消でき、そのシステムの運用性を高めることができる。
【００２８】
これを以ってストレージネットワーク技術分野に貢献できる。
【発明を実施するための最良の形態】
【００２９】
以下に、本実施形態におけるｉＳＣＳＩ接続管理システムの動作概要を説明する。
【００３０】
まず、ｉＳＮＳサーバへの登録機能とアライブ信号送出機能を有するｉＳＣＳＩイニシエータ（ｉＳＣＳＩイニシエータ装置）とｉＳＣＳＩターゲット装置（これらを総じてｉＳＣＳＩデバイスと呼ぶ）間のアクセスを集中制御するために、ｉＳＮＳサーバが管理するｉＳＣＳＩデバイスのプロファイル情報が蓄積されるデータベースに、負荷分散装置とｉＳＣＳＩターゲット装置に関する追加情報（例えば、負荷分散装置の実ＩＰアドレス，ｉＳＣＳＩターゲット装置のＭＡＣアドレス）を登録する。
【００３１】
上述の追加情報とｉＳＣＳＩに関するネットワーク情報を含むネットワーク情報が登録されたデータベース上で、ｉＳＮＳサーバからのディスカバリドメイン設定をフック（例えば、トリガ機能でフック）し、ｉＳＣＳＩイニシエータとｉＳＣＳＩターゲット装置のコネクションテーブルレコードを作成する（例えば、予め作成し登録したストアドプロシジャを使って作成する）。
【００３２】
作成したコネクションテーブルレコードを負荷分散装置で管理するコネクションテーブルに反映することによって、ｉＳＣＳＩイニシエータとｉＳＣＳＩターゲット装置間の接続を確立できる。
【００３３】
一方、ｉＳＣＳＩイニシエータとｉＳＣＳＩターゲット装置のいずれかの登録が削除されると、データベース上でフックして該当コネクションテーブルレコードの削除を行うとともに、負荷分散装置上のコネクションテーブルに反映する。
【００３４】
以上のｉＳＣＳＩ接続管理システムの動作によって、ｉＳＣＳＩイニシエータとｉＳＣＳＩターゲット装置が共にｉＳＮＳサーバに登録され、ｉＳＮＳサーバ上でディスカバリドメインが設定された状態でのみ、ｉＳＣＳＩイニシエータとｉＳＣＳＩターゲット装置間のｉＳＣＳＩセッション確立が可能となり、負荷分散装置上での集中アクセス制御が実現できる。
【００３５】
また、上述のｉＳＣＳＩ接続管理システムの動作では、負荷分散装置の使用目的が大きく異なり、負荷分散装置は負荷分散機能でなくＩＰパケットのリダイレクションを制御する装置として使用することになる。
【００３６】
以下、本発明の実施形態におけるｉＳＣＳＩ接続管理システムを図面等に基づいて更に詳細に説明する。
【００３７】
本実施形態におけるｉＳＣＳＩ接続管理システムに関するネットワーク構成を図１に基づいて説明する。図１中のネットワーク構成は、ｉＳＣＳＩイニシエータ（ｉＳＣＳＩ  ｉｎｉｔｉａｔｏｒ）５１，５２、Ｌ２制御装置２を接続した負荷分散装置１、ｉＳＣＳＩターゲット装置（ｉＳＣＳＩ  ｔａｒｇｅｔ）６１，６２、ｉＳＮＳサーバ７、データベース８は、ネットワーク１００に接続されている。そのネットワーク構成において、ｉＳＣＳＩ接続管理システムは、Ｌ２制御装置２、負荷分散装置１、ｉＳＮＳサーバ７、データベース８から構成されるといえる。
【００３８】
負荷分散装置１は、図３と同様に、コネクションテーブルＴ１１を有している。即ち、負荷分散装置１は、暗黙的に、コネクションテーブルＴ１１に対してコネクションテーブルレコードを登録もしくは削除などの処理を行って管理するコネクションテーブル管理部（図示省略）を備えていても良いことになる。
【００３９】
なお、図１におけるネットワーク構成は、新たにｉＳＮＳサーバ７と当該サーバの管理データを保管するデータベース８を図３のネットワーク構成に追加したものである。
【００４０】
ｉＳＮＳサーバ７は、ｉＳＣＳＩイニシエータとｉＳＣＳＩターゲット装置から送信されるｉＳＮＳ登録情報，それらに基づくディスカバリドメインをデータベース８に登録する。例えば、ｉＳＮＳサーバ７は、ＣＰＵ（Ｃｅｎｔｒａｌ  Ｐｒｏｃｅｓｓｉｎｇ  Ｕｎｉｔ）などの制御部，メモリやハードディスクなどの記憶部を備えるコンピュータあるいはサーバにｉＳＮＳサーバプログラムがインストールされたものである。
【００４１】
データベース８は、トリガ機能やストアドプロシジャ機能を備える一般的なＤＢＭＳ（Ｄａｔａｂａｓｅ  Ｍａｎａｇｅｍｅｎｔ  Ｓｔｓｔｅｍ：データベースの本体システム）と該ＤＢＭＳに管理されるデータベースデータから構成され、ｉＳＮＳサーバ７から設定もしくは登録されるｉＳＣＳＩ接続に必要な情報を格納し管理するデータベースである。例えば、データベース８は、ＣＰＵ（Ｃｅｎｔｒａｌ  Ｐｒｏｃｅｓｓｉｎｇ  Ｕｎｉｔ）などの制御部，メモリやハードディスクなどの記憶部を備えるコンピュータあるいはサーバにＤＢＭＳプログラムと該ＤＢＭＳに管理されるデータベースデータがインストールされたものである。本実施形態では、前記のようなＤＢＭＳを採用しているが、トリガ機能やストアドプロシジャ機能に準ずる機能を備え、データを管理するデータ管理システムであれば良い。
【００４２】
また、前記データベース８は負荷分散装置内のコネクションテーブルにアクセスし、テーブルレコードを更新する機能と権限を有する。
【００４３】
前記データベース８は、ｉＳＮＳサーバ７からの情報更新をフック（例えば、トリガ機能でフック）し、所定の処理を行う機能（例えば、その所定の処理を行うストアドプロシジャ）を有する。
【００４４】
前記ｉＳＮＳサーバ７とデータベース８は、それぞれを実現したソフトウェアを同一のコンピュータにインストールしても良い。
【００４５】
本実施形態におけるｉＳＣＳＩ接続管理システムは、クライアントとサーバ間の接続関係をコネクションテーブルを動的に作成することによって、負荷分散装置における集中接続制御を実現する。図１の装置構成は、図３の装置構成におけるクライアント−サーバをｉＳＣＳＩイニシエータ−ｉＳＣＳＩターゲット装置に置き換えている。
【００４６】
本実施形態におけるｉＳＣＳＩイニシエータとｉＳＣＳＩターゲット間の負荷分散装置を介したｉＳＣＳＩ接続を実現する手順を図１に基づいて説明する。
【００４７】
まず、データベース８に負荷分散装置１の負荷分散装置ＮＷ（Ｎｅｔｗｏｒｋ）情報を登録（手投入）する（Ｍ２０１：負荷分散装置ＮＷ情報のデータベース登録）。例えば、予め備えられた端末やネットワーク越しに前記負荷分散装置ＮＷ情報をネットワーク管理者が登録する。即ち、データベース８は、受信した負荷分散装置ＮＷ情報を格納し保管する。
【００４８】
なお、投入する負荷分散装置ＮＷ情報は負荷分散装置１のＩＰアドレス（実ＩＰアドレス）と仮想ＩＰアドレスの組み合わせを有するレコード（例えば、下表のような負荷分散装置ＮＷ情報）とする。また、負荷分散装置を複数台管理する場合は複数のレコードを登録する。
【００４９】
【表１】
2009048530.tif 000003
【００５０】
次に、データベース８にｉＳＣＳＩターゲット装置６１（もしくは６２）のｉＳＣＳＩターゲット装置ＮＷ情報を登録（手投入）する（Ｍ２０２：ｉＳＣＳＩターゲット装置ＮＷ情報のデータベース登録）。即ち、データベース８は、受信したｉＳＣＳＩターゲット装置ＮＷ情報を格納し保管する。例えば、予め備えられた端末やネットワーク越しに前記ｉＳＣＳＩターゲット装置ＮＷ情報をネットワーク管理者が登録する。データベース８に登録した負荷分散装置１経由でセッションを確立するｉＳＣＳＩターゲット装置すべてのレコードを登録するものとする。
【００５１】
なお、投入するｉＳＣＳＩターゲット装置ＮＷ情報は、ｉＳＣＳＩターゲット装置に各々設定した固有のｉＳＣＳＩ名と当該装置のネットワークインターフェースのＭＡＣアドレスの組み合わせを有するレコードとする（例えば、下表のようなｉＳＣＳＩターゲット装置ＮＷ情報）。また、下表では、ｉＳＣＳＩ名としてｉｑｎ形式で記述していない。下表におけるｉＳＣＳＩ名は「ｉＳＣＳＩ＿ｎａｍｅ＿ｔａｒｇｅｔ」である。
【００５２】
【表２】
2009048530.tif 000004
【００５３】
次に、ｉＳＣＳＩターゲット装置６１（もしくは６２）のｉＳＮＳクライアント機能によってｉＳＮＳサーバ７に対し、ｉＳＮＳ登録情報である、ｉＳＣＳＩターゲット装置６１（もしくは６２）のプロファイル（例えば、下表のようなプロファイル）を登録する（Ｍ２０３（もしくはＭ２０３’）：ｉＳＣＳＩターゲット装置のプロファイルのｉＳＮＳサーバ登録）。ｉＳＮＳサーバ７は、前記受け取ったプロファイルをデータベース８に登録し管理する。なお、下表におけるｉＳＣＳＩ名は「ｉＳＣＳＩ＿ｎａｍｅ＿ｔａｒｇｅｔ」である。
【００５４】
通常、ｉＳＮＳクライアント機能が登録するＩＰアドレスはネットワークインターフェースに割り当てられたＩＰアドレスを使用するが、フラットベース負荷分散装置である負荷分散装置１からの運用のため、ｉＳＣＳＩターゲット装置のループバックインターフェースに割り当てる負荷分散装置の仮想ＩＰアドレスをＩＰアドレスとして適用する。
【００５５】
登録するプロファイルは、仮想ＩＰアドレスに加えて、ｉＳＣＳＩアクセスのためのＴＣＰポート番号，当該装置固有のｉＳＣＳＩ名の組み合わせを含むレコードとする。
【００５６】
また、図１中では、負荷分散装置１からｉＳＣＳＩターゲット装置６１及び６２に対して、ｉＳＮＳで規定されているＥＳＩ（Ｅｎｔｉｔｙ  Ｓｔａｔｕｓ  Ｉｎｑｕｉｒｙ）、ＳＣＮ（Ｓｔａｔｅ  Ｃｈａｎｇｅ  Ｎｏｒｔｉｆｉｃａｔｉｏｎ）がｕｎｒｅａｃｈａｂｌｅとなる。そのため、当該ｉＳＣＳＩ接続管理システムに適用可能なｉＳＣＳＩターゲット装置６１及び６２は、ｉＳＮＳサーバ７へのＡｌｉｖｅ信号を送出可能な装置とするため、前記プロファイルと共に「ＥＳＩ（Ａｌｉｖｅ）＝ｙｅｓ」，「ＳＣＮ＝ｎｏ」という情報をｉＳＮＳサーバ７へ送信している。
【００５７】
【表３】
2009048530.tif 000005
【００５８】
次に、ｉＳＣＳＩイニシエータ５１（もしくは５２）のｉＳＮＳクライアント機能によりｉＳＮＳサーバ７に対し、ｉＳＮＳ登録情報である、ｉＳＣＳＩイニシエータ５１（もしくは５２）のプロファイル（例えば、下表のようなプロファイル）を登録する（Ｍ２０４（もしくはＭ２０４’）：ｉＳＣＳＩイニシエータのプロファイルのｉＳＮＳサーバ登録）。ｉＳＮＳサーバ７は、前記受け取ったプロファイルをデータベース８に登録する。なお、下表におけるｉＳＣＳＩ名は「ｉＳＣＳＩ＿ｎａｍｅ＿ｉｎｉｔｉａｔｏｒ」である。
【００５９】
前記クライアント機能が登録するプロファイルは、ネットワークインターフェースに割り当てられたＩＰアドレスと当該ｉＳＣＳＩイニシエータ５１（もしくは５２）固有のｉＳＣＳＩ名の組み合わせを含むレコードとする。
【００６０】
また、当該ｉＳＣＳＩイニシエータ５１（もしくは５２）は、ｉＳＮＳサーバ７からの死活管理を必須となるため、ＥＳＩ処理機能（もしくはｉＳＮＳサーバ７へのＡｌｉｖｅ信号送出機能）を備えるものとする。なお、図１中では、前記プロファイルと共に「ＥＳＩ（Ａｌｉｖｅ）＝ｙｅｓ」という情報をｉＳＮＳサーバ７へ送信している。
【００６１】
【表４】
2009048530.tif 000006
【００６２】
次に、ｉＳＮＳサーバ７上のオペレーションとして、ｉＳＣＳＩイニシエータとｉＳＣＳＩターゲット装置間のディスカバリドメインを設定し、データベース８に登録する（Ｍ２０５：ｉＳＮＳサーバ上でのディスカバリドメイン設定）。
【００６３】
図１中の破線で囲まれた部分は、ｉＳＣＳＩイニシエータ５１とｉＳＣＳＩターゲット６１を共通のディスカバリドメインＤＤ１（例えば、下表のようなディスカバリドメインＤＤ１）に組み入れるオペレーションを示している。このオペレーションの結果として、ｉＳＣＳＩイニシエータ５１は、ｉＳＣＳＩターゲット装置６１のプロファイル（例えば、表３及び図２中の符号Ｄ３で示されるプロファイル）にアクセス可能となる。
【００６４】
なお、下表では、ｉＳＣＳＩ名「ｉＳＣＳＩ＿ｎａｍｅ＿ｉｎｉｔｉａｔｏｒ」とディスカバリドメインを識別するディスカバリドメイン識別子「ＤＤ１」を組み合わせ、さらに、ｉＳＣＳＩ名「ｉＳＣＳＩ＿ｎａｍｅ＿ｔａｒｇｅｔ」とディスカバリドメイン識別子「ＤＤ１」を組み合わせることによって、ｉＳＣＳＩ名「ｉＳＣＳＩ＿ｎａｍｅ＿ｉｎｉｔｉａｔｏｒ」とｉＳＣＳＩ名「ｉＳＣＳＩ＿ｎａｍｅ＿ｔａｒｇｅｔ」をグルーピングし、ディスカバリドメインＤＤ１を表現している。
【００６５】
【表５】
2009048530.tif 000007
【００６６】
上述のメッセージングＭ２０１〜Ｍ２０５に関する登録もしくは処理によって、データベース８内には、図２のようなデータ関係が形成される。ここで、データベース８に格納されたデータのデータ関係を図２に基づいて説明する。
【００６７】
負荷分散装置ＮＷ情報Ｄ１は、負荷分散装置１のＩＰアドレスｄ２と仮想ＩＰアドレスｄ１から構成される。
【００６８】
ｉＳＣＳＩターゲット装置ＮＷ情報Ｄ２は、ｉＳＣＳＩターゲット装置に各々設定した固有のｉＳＣＳＩ名ｄ３と当該装置のネットワークインターフェースのＭＡＣアドレスｄ５から構成される。
【００６９】
ｉＳＣＳＩターゲット装置のプロファイルＤ３は、負荷分散装置の仮想ＩＰアドレスｄ１、ｉＳＣＳＩターゲット装置のＴＣＰポート番号ｄ４，ｉＳＣＳＩターゲット装置固有のｉＳＣＳＩ名ｄ３から構成される。
【００７０】
ｉＳＣＳＩイニシエータのプロファイルＤ４は、割り当てられたＩＰアドレスｄ７と当該ｉＳＣＳＩイニシエータ固有のｉＳＣＳＩ名ｄ６から構成される。
【００７１】
ｉＳＣＳＩイニシエータとｉＳＣＳＩターゲット装置間のディスカバリドメインＤ５は、ｉＳＣＳＩイニシエータのｉＳＣＳＩ名ｄ６とｉＳＣＳＩターゲット装置のｉＳＣＳＩ名ｄ３を有する。
【００７２】
ｉＳＣＳＩイニシエータのＩＰアドレスｄ７とｉＳＣＳＩターゲット装置のＭＡＣアドレスｄ５から生成されるコネクションテーブルレコードに基づいて、コネクションテーブルｄ８が更新される。
【００７３】
次に、データベース８は、メッセージングＭ２０５に関する処理によってディスカバリドメインが設定されたことを契機に（例えば、ディスカバリドメインが登録されたことを示すイベントをデータベース８内でフックして）、ｉＳＣＳＩイニシエータ５１のＩＰアドレスとｉＳＣＳＩターゲット装置６１のＭＡＣアドレスの組み合わせを含むコネクションテーブルレコードを生成する（Ｍ２０６：コネクションテーブルレコードの作成）。
【００７４】
【表６】
2009048530.tif 000008
【００７５】
そして、データベース８は、メッセージングＭ２０６に関する処理で生成されたコネクションテーブルレコードを負荷分散装置１（即ち、表１中の実ＩＰアドレスで示される負荷分散装置）内のコネクションテーブルＴ１１に反映する（Ｍ２０７：作成したコネクションテーブルレコードの負荷分散装置への反映）。例えば、前記生成されたコネクションテーブルレコードに基づいて、データベース８に格納されたストアドプロシジャを用いて負荷分散装置１内のコネクションテーブルＴ１１を更新する。
【００７６】
以上のように、メッセージングＭ２０１〜Ｍ２０７に沿って、ｉＳＣＳＩイニシエータとｉＳＣＳＩターゲット間の負荷分散装置を介したｉＳＣＳＩ接続を実現する手順を説明した。
【００７７】
次に、ｉＳＣＳＩイニシエータとｉＳＣＳＩターゲット間の負荷分散装置を介したｉＳＣＳＩ接続を解除する手順を説明する。
【００７８】
ｉＳＣＳＩイニシエータのｉＳＮＳ登録情報（プロファイル），ｉＳＣＳＩターゲット装置のｉＳＮＳ登録情報（プロファイル）（及びｉＳＣＳＩターゲット装置ＮＷ情報）のいずれかがデータベース８から削除されたことを契機に（あるいは、削除されたことに応じたイベントが発生した場合）、あるいは、ディスカバリドメインが削除されたことを契機に（削除されたことに応じたイベントが発生した場合）、データベース８は、これらのイベントをフックして、前記削除されたプロファイルもしくディスカバリドメインに応じたコネクションテーブルＴ１１のコネクションテーブルレコードを削除する。
【００７９】
なお、本実施形態のｉＳＣＳＩ接続管理システムにおいて、上述のｉＳＣＳＩ接続する手順（前記メッセージングＭ２０１〜Ｍ２０７に関する処理）及びｉＳＣＳＩ接続を解除する手順を、該当する各装置の手段として（例えば、コンピュータプログラムにおける手段として）実装しても良い。また、前記メッセージングの連なりが、本実施形態のｉＳＣＳＩ接続管理システムにおけるｉＳＣＳＩ接続管理方法（手順）と考えてよい。
【００８０】
以上のように、本実施形態はｉＳＮＳサーバによるｉＳＣＳＩ接続制御（セッション制御）の集中管理を可能とする。
【００８１】
ＦＴＴＨ回線などブロードバンド回線の普及によって、従来、高速ＩＰ環境で利用されてきたｉＳＣＳＩ技術のＷＡＮ（Ｗｉｄｅ−Ａｒｅａ  Ｎｅｔｗｏｒｋ）展開が可能な状況となりつつある。しかしながら、ｉＳＣＳＩ技術は本来、クローズドな領域での利便性を重視した技術のため、ファイルサーバ−ストレージ装置間のハッキングに対するセキュリティ強度が弱い。
【００８２】
本実施形態は、ｉＳＮＳを利用するｉＳＣＳＩストレージ資源提供型のＡＳＰ（Ａｐｐｌｉｃａｔｉｏｎ  Ｓｅｒｖｉｃｅ  Ｐｒｏｖｉｄｅｒ）サービスなどにおいて、所定の手続きによりｉＳＮＳサーバに登録中のｉＳＣＳＩイニシエータとｉＳＣＳＩターゲット装置間においてのみ、ｉＳＣＳＩ接続を可能とする環境を提供できる。
【００８３】
すなわち、ｉＳＣＳＩイニシエータとｉＳＣＳＩターゲット装置のセッション制御をｉＳＮＳサーバにより集中制御できることから、従来、ｉＳＣＳＩターゲット装置毎に管理が必要であった煩雑な運用の軽減に資することができる。
【００８４】
以上、本発明の実施形態について説明したが、本発明は説明した実施形態に限定されるものでなく、各請求項に記載した範囲において各種の変形を行うことが可能である。
【００８５】
例えば、本実施形態のネットワーク構成の変形として、Ｗｅｂサーバを追加し、該Ｗｅｂサーバを介して、負荷分散装置ＮＷ情報，ｉＳＣＳＩターゲット装置ＮＷ情報をデータベースに登録しても良い。
【図面の簡単な説明】
【００８６】
【図１】本実施形態におけるｉＳＣＳＩ接続管理システムに関するネットワーク構成図。
【図２】本実施形態におけるｉＳＣＳＩ接続管理システムにおけるデータ関連図。
【図３】一般的なフラットベース（ＭＡＴベース）の負荷分散方式のネットワーク構成図。
【符号の説明】
【００８７】
１…負荷分散装置
２…Ｌ２制御装置
７…ｉＳＮＳサーバ
８…データベース
３１，３２…クライアント
４１，４２…サーバ
５１，５２…ｉＳＣＳＩイニシエータ
６１，６２…ｉＳＣＳＩターゲット装置
１００…ネットワーク
Ｔ１１，ｄ８…コネクションテーブル
Ｄ１…負荷分散装置ＮＷ情報
Ｄ２…ｉＳＣＳＩターゲット装置ＮＷ情報
Ｄ３…ｉＳＣＳＩターゲット装置のプロファイル
Ｄ４…ｉＳＣＳＩイニシエータのプロファイル
Ｄ５，ＤＤ１…ディスカバリドメイン
ｄ１…負荷分散装置の仮想ＩＰアドレス
ｄ２…負荷分散装置のＩＰアドレス
ｄ３…ｉＳＣＳＩターゲット装置に各々設定した固有のｉＳＣＳＩ名
ｄ４…ｉＳＣＳＩターゲット装置のＴＣＰポート番号
ｄ５…ｉＳＣＳＩターゲット装置のネットワークインターフェースのＭＡＣアドレス
ｄ６…ｉＳＣＳＩイニシエータ固有のｉＳＣＳＩ名
ｄ７…ｉＳＣＳＩイニシエータに割り当てられたＩＰアドレス
【図１】
2009048530.tif 000009
【図２】
2009048530.tif 000010
【図３】
2009048530.tif 000011